(57)【要約】【課題】  体圧を適切に分散し、人体を適度の抵抗力で支持することができるマットレスを提供すること。【解決手段】  相互に合わされる第１部材２及び第２部材４から構成され、第１部材２の内面には、この内面から外面に向けて延びる複数の第１凹部６が設けられ、第２部材４の内面には、この内面から外面に向けて延びる複数の第２凹部８が設けられ、第１部材２の複数の第１凹部６と第２部材４の複数の第２凹部８とは相互にずれて設けられている。【選択図】      図１
2005046449.tif 000002
【特許請求の範囲】
【請求項１】
相互に合わされる第１部材及び第２部材から構成され、前記第１部材の内面には、この内面から外面に向けて延びる複数の第１凹部又は貫通孔が設けられ、前記第２部材の内面には、この内面から外面に向けて延びる複数の第２凹部又は貫通孔が設けられ、前記第１部材の前記複数の第１凹部又は貫通孔と前記第２部材の前記複数の第２凹部又は貫通孔とは相互にずれて設けられていることを特徴とするマットレス。
【請求項２】
相互に合わされる第１部材及び第２部材から構成され、前記第１部材の内面には、この内面から外面に向けて延びる複数の第１凹部又は貫通孔が設けられ、前記第２部材の内面には、この内面から外面に向けて延びる複数の第２凹部又は貫通孔が設けられ、前記第２部材の前記複数の凹部又は貫通孔は、前記第１部材の前記複数の凹部又は貫通孔よりも多く設けられていることを特徴とするマットレス。
【請求項３】
前記第１部材の前記第１凹部又は貫通孔の横断面積は、前記第２部材の前記第２凹部又は貫通孔の横断面積よりも大きいことを特徴とする請求項１又は２に記載のマットレス。
【請求項４】
前記第１部材は比較的柔らかい材料から形成され、前記第２部材は比較的硬い材料から形成されていることを特徴とする請求項１〜３のいずれかに記載のマットレス。
【発明の詳細な説明】
【技術分野】
【０００１】
本発明は、病院、介護施設、家庭のベッドなどに用いるマットレスに関する。
【背景技術】
【０００２】
病院、介護施設などのベッドに用いるマットレスとして、発泡ウレタン、天然ゴムなどから形成されたものが知られている（例えば、特許文献１参照）。この公知のマットレスは、発泡ウレタン樹脂から形成された直方体状のマットレス本体を備え、このマットレス本体の下面に複数の凹部が設けられ、この凹部がその表面に向けて延びている。このようなマットレスでは、複数の凹部が設けられているので、マットレス本体の柱状部（凹部でない部分）が撓み易く、それ故に、体圧を分散して支持することができる。
【０００３】
【特許文献１】特開２００１−２５４２５号公報
【発明の開示】
【発明が解決しようとする課題】
【０００４】
このような公知のマットレスでは、マットレス本体に複数の凹部を単に設けたのみであるので、マットレス本体の柱状部の先端部が自由に撓み、人体などにより上面に大きな応力が作用すると、マットレス本体の柱状部が大きく弾性変形して撓み、これによって、この応力がベッド側に逃げて充分に対抗することができず、所望の体圧分散効果が得られないという問題がある。
【０００５】
本発明の目的は、体圧を適切に分散し、人体を適度の抵抗力で支持することができるマットレスを提供することである。
【課題を解決するための手段】
【０００６】
本発明の請求項１に記載のマットレスは、相互に合わされる第１部材及び第２部材から構成され、前記第１部材の内面には、この内面から外面に向けて延びる複数の第１凹部又は貫通孔が設けられ、前記第２部材の内面には、この内面から外面に向けて延びる複数の第２凹部又は貫通孔が設けられ、前記第１部材の前記複数の第１凹部又は貫通孔と前記第２部材の前記複数の第２凹部又は貫通孔とは相互にずれて設けられていることを特徴とする。
【０００７】
また、本発明の請求項２に記載のマットレスは、相互に合わされる第１部材及び第２部材から構成され、前記第１部材の内面には、この内面から外面に向けて延びる複数の第１凹部又は貫通孔が設けられ、前記第２部材の内面には、この内面から外面に向けて延びる複数の第２凹部又は貫通孔が設けられ、前記第２部材の前記複数の凹部又は貫通孔は、前記第１部材の前記複数の凹部又は貫通孔よりも多く設けられていることを特徴とする。
【０００８】
また、本発明の請求項３に記載のマットレスでは、前記第１部材の前記第１凹部又は貫通孔の横断面積は、前記第２部材の前記第２凹部又は貫通孔の横断面積よりも大きいことを特徴とする。
【０００９】
また、本発明の請求項４に記載のマットレスでは、前記第１部材は比較的柔らかい材料から形成され、前記第２部材は比較的硬い材料から形成されていることを特徴とする。
【発明の効果】
【００１０】
本発明の請求項１に記載されたマットレスによれば、第１部材に設けられた複数の第１凹部又は貫通孔と第２部材に設けられた複数の第２凹部又は貫通孔とが相互にずれているので、第１部材の柱状部（凹部又は貫通孔以外の部分）が第２部材の第２凹部又は貫通孔を覆うように柱状部に固定され、また第２部材の柱状部が第１部材の第１凹部又は貫通孔を覆うように柱状部に固定され、これによって、第１及び第２部材の柱状部の端部（相互に固定される部分）が自由に撓むことが制限される。従って、マットレスに体圧が作用すると、適度の対抗力が生じ、所望の体圧分散効果が得られる。この第１部材の第１凹部又は貫通孔と第２部材の第２凹部又は貫通孔とは同じ大きさでもよく、或いは異なる大きさでもよい。
【００１１】
特に、第１及び第２部材に複数の第１及び第２凹部が設けられている場合、それらの両外面（マットレスの両表面）が平坦となり、マットレスに体圧が作用すると第１及び第２の柱状部の中間部分が撓むようになり、これによって、体圧を支持するためのより適度な対抗力が得られる。また、マットレスの両面が平坦となっているので、どちらの面を使用しても使用者に対する使用感触が同じにすることができる。
【００１２】
また、本発明の請求項２に記載されたマットレスによれば、第２部材に設けられた複数の第２凹部又は貫通孔は、第１部材に設けられた複数の第１凹部又は貫通孔よりも多いので、これら凹部又は貫通孔によって、第１部材と第２部材の硬さ、使用感触を調整することができる。また、このように凹部又は貫通孔の個数を異ならせることによって、第１部材の第１凹部又は貫通孔と第２部材の第２凹部又は貫通孔とが相互にずれるようになり、従って、第１及び第２部材の柱状部の端部（相互に固定される部分）が自由に撓むことが制限され、所望の体圧分散効果が得られる。
【００１３】
特に、第１及び第２部材に複数の第１及び第２凹部が設けられている場合、上述したように、それらの両外面が平坦となり、マットレスに体圧が作用すると第１及び第２の柱状部の中間部分が撓むようになり、これによて、体圧を支持するためのより適度な対抗力が得られる。
【００１４】
また、本発明の請求項３に記載されたマットレスによれば、第１部材の第１凹部又は貫通孔の横断面積は、第２部材の第２凹部又は貫通孔の横断面積よりも大きいので、第１部材の方が第２部材よりもより撓み易くなり、これによって、それらの形状的な面から、マットレスの両面の使用感触を異ならせることができる。
【００１５】
また、本発明の請求項４に記載されたマットレスによれば、第１部材は比較的柔らかい材料から形成され、第２部材は比較的硬い材料から形成されているので、第１部材の使用感触を比較的柔らかく、また第２部材の使用感触を比較的硬くすることができ、それらの材質的な面からマットレスの両面の使用感触を異ならせることができる。
【発明を実施するための最良の形態】
【００１６】
以下、添付図面を参照して、本発明に従うマットレスの最良の形態について説明する。図１は、本発明に従うマットレスの最良の形態の一実施例を示す斜視図であり、図２は、図１におけるＩＩ−ＩＩ線による部分断面図である。
【００１７】
図１及び図２において、図示のマットレスは薄い直方体状であり、相互に合わされる第１及び第２部材２，４から構成されている。第１及び第２部材２，４は、例えばゴム材料（天然ゴム、合成ゴムなど）、ウレタン樹脂などから構成され、適度に発泡させて適度の弾性を有するように形成される。
【００１８】
第１部材２の内面には、その内面（第２部材４と合わされる面）から外面に向けて延びる複数の第１凹部６が設けられている。この実施例では、複数の第１凹部６は実質上同一の形状であり、適宜の間隔をおいて実質上均一に設けられている。各第１凹部６は円柱状に形成されているが、このような形状に限定されず、四角柱状、六角柱状などの適宜の形状でよい。
【００１９】
また、第２部材４の内面にも、第１部材２と同様に、その内面（第１部材２と合わされる面）から外面に向けて延びる複数の第２凹部８が設けられている。この実施例では、複数の第２凹部８も実質上同一の形状であり、適宜の間隔をおいて実質上均一に設けられている。各第２凹部６は円柱状に形成されているが、四角柱状、六角柱状などの適宜の形状でよい。
【００２０】
第１及び第２部材２，４は、相互に一体的となるように、それらの内面が例えば接着剤を用いて固着され、第１部材２の複数の第１凹部６と第２部材４の複数の第２凹部８とが相互にずれて位置するように接合される（図２参照）。このように相互に固着することによって、第１部材２の柱状部１０（凹部６以外の部分）が第２部材４の複数の第２凹部８を覆うようにしてその柱状部１２（凹部８以外の部分）に固着され、また第２部材４の柱状部１２が第１部材２の第１凹部６を覆うようにしてその柱状部１０に固定される。従って、第１部材２の柱状部１０の先端部の撓みが第２部材４によって制限されるとともに、第２部材４の柱状部１２の先端部の撓みが第１部材２によって制限され、第１及び第２部材２，４の柱状部１０，１２は、それらの長手方向（図２において上下方向）中間部が弾性変形して撓むようになる。このように第１及び第２部材２，４の柱状部１０，１２の撓みが制限されるので、第１部材２（又は第２部材４）に体圧が作用すると、この体圧に対する適度の対抗力が生じ、所望の体圧分散効果が得られる。
【００２１】
図示の形態では、第１部材２の各第１凹部６の横断面積Ｓ１は、第２部材４の各第２凹部８の横断面積Ｓ２よりも大きくなる（Ｓ１＞Ｓ２）ように構成され、図示のように第１及び第２凹部６，８が円柱状である場合には、各第１凹部６の直径Ｄ１が各第２凹部８の直径Ｄ２よりも大きくなる（Ｄ１＞Ｄ２）ように構成されている。このように第１部材２の各第１凹部６の横断面積Ｓ１を比較的大きくすることによって、第１部材２の柱状部１０が弾性変形してある程度撓みやすくなり、使用者に対する感触を比較的柔らかくすることができる。一方、第２部材４の各第２凹部８の横断面積Ｓ２を比較的小さくすることによって、第２部材４の柱状部１２は第１部材２の柱状部１０よりも撓み難くなり、使用者に対する感触をある程度硬くすることができる。従って、第１部材２をマットレスの表側にすることによって、比較的柔らかい感触のものとして使用することができ、また第２部材４をマットレスの表側にすることによって、比較的硬い感触のものとして使用することができる。尚、第１部材２の第１凹部６と第２部材４の第２凹部８とを同じ大きさに形成するようにしてもよい。
【００２２】
このようなマットレスにおいては、第１部材２の各第１凹部６の横断面積Ｓ１及びその深さＨ１、また第２部材４の各第２凹部８の横断面積Ｓ２及びその深さＨ２は、適宜設定することができ、それらの横断面積Ｓ１，Ｓ２を大きくすることによって、またそれらの深さＨ１，Ｈ２を深くすることによって、第１及び第２部材２，４の柱状部１０，１２がより撓み易くなる。
【００２３】
このマットレスにおいては、第１部材２は比較的柔らかい材料から形成され、第２部材４は、第１部材２よりも硬く、比較的硬い材料から形成され、このような硬さの調整は、材質を変える、或いは発泡の程度を変えるなどして調整することができる。このように第１及び第２部材２，４の材質による硬さを変えることによっても、第１部材２を撓み易く、第２部材４をある程度撓み難くすることができる。
【００２４】
このマットレスは、その長さＬが例えば１９３ｃｍに、その幅Ｗが例えば９１ｃｍに、その厚さＴが例えば１０ｃｍになるように形成される。そして、マットレスの厚さＴに関し、第１部材２の厚さｔ１が例えば５ｃｍに、第２部材４の厚さｔ２が例えば５ｃｍに形成され、また第１部材２の第１凹部６の深さＨ１が２〜３．５ｃｍ程度、例えば３ｃｍに、第２部材４の第２凹部８の深さＨ２が２〜３．５ｃｍ程度、例えば３ｃｍに形成される。
【００２５】
このマットレスでは、上述したように、第１部材２を表側にすることによって、比較的柔らかい感触のものとして、また第２部材４を表側にすることによって、比較的硬い感触のものとして使用することができ、使用者の希望に応じて使用時の感触を選択することができる。また、第１部材２と第２部材４とは、それらの第１及び第２凹部６，８が対向するように合わされるので、マットレスに体圧が作用すると第１及び第２部材２，４の柱状部１０，１２の中間部分が撓むようになり、体圧をより適度な対抗力で支持することができる。更に、マットレスの両面が平らとなるので、第１及び第２部材２，４のどちらを表側としても使用者に対する使用感触を滑らかなものとすることができる。
【００２６】
マットレスは、図３に示すように構成することもできる。図３は、マットレスの第１の変形形態を示す部分断面図である。尚、以下の形態において、図１及び図２に示す実施形態と実質上同一のものには同一の参照番号を付し、その説明を省略する。
【００２７】
図３において、この変形形態では、第１部材２は上述した実施形態と実質上同一であるが、第２部材４Ａにおいては、複数の第２凹部８Ａが第１部材２の複数の第１凹部６よりも多く設けられている。このような構成において、第１及び第２部材２，４Ａを上述したように固定すると、第１及び第２部材２，４Ａの第１及び第２凹部６，８の個数が相違している故に、上述した実施形態とほぼ同様に、第１部材２の柱状部１０が第２部材４Ａの柱状部１２Ａに、また第２部材４Ａの柱状部１２Ａが第１部材２の柱状部１０に固定される。従って、第１部材２の柱状部１０の先端部の撓みが第２部材４Ａによって制限されるとともに、第２部材４Ａの柱状部１２Ａの先端部の撓みが第１部材２によって制限され、第１及び第２部材２，４Ａの柱状部１０，１２Ａは、それらの長手方向中間部が弾性変形して撓むようになり、上述した実施形態と同様の作用効果が達成される。
【００２８】
マットレスは、図４に示すように構成することもできる。図４は、マットレスの第２変形形態を示す部分断面図である。
図４において、この変形形態では、第１部材２Ｂには、複数の第１凹部に代えて、複数の第１貫通孔６Ｂが設けられているとともに、第２部材４Ｂには、複数の第２凹部に代えて、複数の第２貫通孔８Ｂが設けられている。第２の変形形態のその他の構成は、図１及び図２に示す実施形態と実質上同一である。
【００２９】
この変形形態では、第１及び第２部材２Ｂ，４Ｂは、それらの第１及び第２貫通孔６Ｂ，８Ｂが相互にずれるように接着剤などで固着され、このように固着すると、第１部材２Ｂの柱状部１０Ｂの内側端部（図４において下側端部）が第２部材４Ｂの柱状部１２Ｂの内側端部（図４において上側端部）に、また第２部材４Ｂの柱状部１２Ｂの内側端部が第１部材２Ｂの柱状部１０Ｂの内側端部に固定されるので、第１及び第２部材２Ｂ，４Ｂの柱状部１０Ｂ，１２Ｂの内側端部の撓みが上述したように制限され、これによって、上述したと略同様の作用効果が達成される。尚、この変形形態では、第１部材２Ｂの第１貫通孔６Ｂを第２部材４Ｂの第２貫通孔８Ｂよりも大きく形成しているが、第１貫通孔６Ｂと第２貫通孔８Ｂを同じ大きさに形成するようにしてもよい。
【００３０】
以上、本発明に従うマットレスの実施形態について説明したが、本発明はかかる実施形態に限定されるものではなく、本発明の範囲を逸脱することなく種々の変形乃至修正が可能である。
【００３１】
例えば、図１〜図３の形態では、複数の第１凹部６を有する第１部材２と複数の第２凹部８（８Ａ）を有する第２部材４（４Ａ）とを組み合わせ、また図４に示す形態では、複数の第１貫通孔６Ｂを有する第１部材２Ｂと複数の第２貫通孔８Ｂを有する第２部材４Ｂとを組み合わせているが、このような組み合わせに限定されるものではなく、複数の第１凹部６を有する第１部材２と複数の第２貫通孔８Ｂを有する第２部材４Ｂとを組み合わせるようにしてもよく、或いは複数の第１貫通孔６Ｂを有する第１部材２と複数の第２凹部８（８Ａ）を有する第２部材４（４Ａ）とを組み合わせるようにしてもよい。
【図面の簡単な説明】
【００３２】
【図１】本発明に従うマットレスの最良の形態の一実施例を示す斜視図である。
【図２】図１におけるＩＩ−ＩＩ線による断面図である。
【図３】マットレスの第１の変形形態を示す部分断面図である。
【図４】マットレスの第２の変形形態を示す部分断面図である。
【符号の説明】
【００３３】
２，２Ｂ  第１部材
４，４Ａ，４Ｂ  第２部材
６  凹部
６Ｂ  貫通孔
８，８Ａ  凹部
８Ｂ  貫通孔
１０，１０Ｂ  第１部材の柱状部
１２，１２Ａ，１２Ｂ  第２部材の柱状部
【図１】
2005046449.tif 000003
【図２】
2005046449.tif 000004
【図３】
2005046449.tif 000005
【図４】
2005046449.tif 000006